【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
データ処理装置における入力装置であって、
接触検知モジュール、前記接触検知モジュールは、静電容量性の検出層と共通電極とを備えた静電容量性の接触及び押圧モジュールであり、前記静電容量性の接触及び押圧モジュール上でのキー操作又はタップに起因した前記静電容量性の検出層と前記共通電極との間の距離変化から生じる静電容量変化と、前記接触検知モジュール上の接触物の接触動作から生じる電気特性変化と、を検出するために構成され、
前記接触検知モジュールの表面上に配置された迅速操作用インターフェース、前記インターフェースは、前記接触動作及び前記キー操作又は前記タップを受信するための領域を示すように構成され、及び、
前記接触検知モジュールと通信するコントローラ、前記コントローラは、前記キー操作又は前記タップから生じる検出された前記静電容量変化に反応して前記データ処理装置に第１入力信号を発行し、前記接触動作から生じる検出された前記電気特性変化に反応して前記データ処理装置に第２入力信号を発行する、
を備えることを特徴とする入力装置。
【請求項２】
前記接触検知モジュールは、前記静電容量性の検出層及び前記共通電極の間に配置され、少なくとも１つ以上のホールを有した中間絶縁層と、を備え、
前記ホールの上の前記キー操作は、前記静電容量性の検出層及び前記共通電極の間の距離を短くして、前記静電容量性の検出層及び前記共通電極の間に静電容量変化を生じさせる、ことを特徴とする請求項１記載の入力装置。
【請求項３】
前記静電容量性の検出層は、各々独立した複数のセンサパッドから成る、ことを特徴とする請求項２記載の入力装置。
【請求項４】
前記迅速操作用インターフェースは、前記センサパッドに応じたキーボードパターンから成る、ことを特徴とする請求項３記載の入力装置。
【請求項５】
前記キーボードパターンの少なくとも１つのキーは、前記センサパッドの１以上をカバーする領域を有する、ことを特徴とする請求項４記載の入力装置。
【請求項６】
前記コントローラは、前記ユーザによる切り替え操作に応じる第１操作状態及び第２操作状態の１つを入力し、前記コントローラは、前記第１操作状態において、前記キー操作又は前記タップから生じる検出された静電容量変化に応じて前記データ処理装置に前記第１入力信号を発行し、また、前記コントローラは、前記第２操作状態において、前記接触動作から生じる検出された前記電気特性変化に応じて前記データ処理装置に前記第２入力信号を発行する、ことを特徴とする請求項５記載の入力装置。
【請求項７】
前記切り替え操作は、１以上のセンサパッドをカバーする領域を有する前記キーをフリックすることから成る、ことを特徴とする請求項６記載の入力装置。
【請求項８】
前記コントローラは、前記第２操作状態であり、前記データ処理装置のディスプレイは、前記キーの第１端上のダブルタップが検知されるとき、前記ディスプレイに示される画像を左または右にスクロールするための水平スクロールモードで動作され、前記データ処理装置の前記ディスプレイは、前記キーの第２端上のダブルタップが検知されるとき、前記ディスプレイに示される前記画像を上または下にスクロールするための垂直スクロールモードで動作され、前記データ処理装置の前記ディスプレイは、前記キー上のダブルフリックが検知されるとき、前記ディスプレイに示されるカーソルを正確に動かすための高解像度モードで動作される、ことを特徴とする請求項６記載の入力装置。
【請求項９】
前記コントローラは複数の隣接するセンサパッドをキーグループにグループ化する、ことを特徴とする請求項３記載の入力装置。
【請求項１０】
前記コントローラのデフォルト操作状態が第１操作状態で、前記キー操作又は前記タップから生じる前記静電容量の変化が検出され、
前記コントローラが切り替え操作に応じて前記第１操作状態から第２操作状態に切り替えられ、前記接触動作から生じる前記電気特性変化が検出され、
前記コントローラが前記第２操作状態から前記第１操作状態に切り替えられ、アイドル状態が所定期間続くなら、前記キー操作又は前記タップから生じる前記静電容量の変化が検出される、ことを特徴とする請求項１記載の入力装置。
【請求項１１】
前記コントローラは第２操作状態であり、前記接触動作から生じる前記電気特性の変化が検出されると、前記コントローラは、前記接触検知モジュールの左領域上の１以上の指でのタップ又はダブルタップに反応した左マウスクリックを示す前記第２入力信号を発行し、前記コントローラは、前記接触検知モジュールの右領域上を１以上の指でのタップ又はダブルタップに反応した右マウスのクリックを示す前記第２入力信号を発行する、ことを特徴とする請求項１記載の入力装置。
【請求項１２】
前記接触検知モジュールは、前記コントローラに電気的に接続された光源を有し、前記コントローラは、前記接触動作、前記キー操作又は前記タップに応じた前記光源の色及び輝度に制御する、ことを特徴とする請求項１記載の入力装置。
【請求項１３】
データ処理装置のための入力装置に用いられる入力方法であって、
前記入力装置は、静電容量性の検出層と共通電極とを備えた静電容量性の接触及び押圧モジュールであり、前記入力装置は、前記静電容量性の接触及び押圧モジュール上でのキー操作又はタップに起因した前記静電容量性の検出層と前記共通電極との間の距離変化から生じる静電容量変化と、前記接触検知モジュール上の接触物の接触動作から生じる電気特性変化と、を検出し、
前記入力方法は、
第１操作状態において、前記キー操作又は前記タップから生じる前記検出された静電容量変化に応じて前記データ処理装置に第１入力信号を発行するステップと、
切り替え操作に応じて、前記入力装置を前記第１操作状態から第２操作状態に切り替えるステップと、
前記第２操作状態において、前記接触動作から生じる検出された前記電気特性変化に応じて前記データ処理装置に第２入力信号を発行するステップと、を含むことを特徴とする入力方法。
【請求項１４】
前記入力装置のデフォルト操作状態が前記第１操作状態で、前記入力装置が前記キー操作又は前記タップを検出できるとき、前記入力方法は、
前記入力装置を、前記接触動作を検知できるようにするための前記切り替え操作に応じて、前記第１操作状態から前記第２操作状態に前記入力装置を切り替えるステップと、
前記入力装置のアイドル状態が所定期間続くなら、前記入力装置が前記キー操作又は前記タップを検知できるようにするために、前記第２操作状態から前記第１操作状態に前記入力装置を切り替えるステップと、を含むことを特徴とする請求項１３記載の入力方法。
【請求項１５】
前記入力装置は、少なくとも第１キー及び前記第１キーよりも大きな面積を有する第２キーから成り、前記切り替え操作は前記第２キーをフリックすることからなる、ことを特徴とする請求項１３記載の入力方法。
【請求項１６】
前記入力装置が前記第２操作状態であるとき、前記入力方法は、
前記第２キーの第１端上のダブルタップが検知されるとき、ディスプレイに示される画像を左または右にスクロールするための水平スクロールモードで前記データ処理装置のディスプレイを操作するステップと、
前記第２キーの第２端上のダブルタップが検知されるとき、前記ディスプレイに示される画像を上または下にスクロールするための垂直スクロールモードで前記データ処理装置
のディスプレイを操作するステップと、
前記第２キー上のダブルフリックが検知されるとき、前記ディスプレイ上のカーソルを正確に動かすための高解像度モードで前記データ処理装置のディスプレイを操作するステップと、を含むことを特徴とする請求項１５記載の入力方法。
【請求項１７】
前記入力装置が前記第２操作状態であるとき、前記入力方法は、
前記入力装置の左領域上の１以上の指を用いたタップ又はダブルタップに反応した左マウスクリックを示す前記第２入力信号を発行するステップと、
前記入力装置の右領域上の１以上の指を用いたタップ又はダブルタップに反応した右マウスクリックを示す前記第２入力信号を発行するステップと、を含むことを特徴とする請求項１３記載の入力方法。
【請求項１８】
データ処理装置のための入力装置であって、
静電容量性の検出層と共通電極とを備えた静電容量性の接触及び押圧モジュール、前記モジュールは、前記静電容量性の接触及び押圧モジュール上でのキー操作又はタップに起因した前記静電容量性の検出層と前記共通電極との間の距離変化から生じる静電容量変化を検出するために構成され、
前記接触検知モジュールの表面上に配置された迅速操作用インターフェース、前記インターフェースは、前記キー操作又は前記タップを受信するための領域を示すように構成され、及び、
前記接触検知モジュールと通信するコントローラ、前記コントローラは、前記キー操作又は前記タップから生じる検出された前記静電容量変化に反応するコマンドを生成し、１の備え付けの入力方法エディタに応じて、前記コマンドに対応する少なくとも１つのシンボルコード及び複数の候補言語を供し、そして、ユーザにより前記候補言語から選択された言語を示す言語コードを前記データ処理装置に発行する、
を備えたことを特徴とする入力装置。
【手続補正２】
【補正対象書類名】明細書
【補正対象項目名】０００３
【補正方法】変更
【補正の内容】
【０００３】
上記課題を解決するために、本発明は、データ処理装置における入力装置であって、接触検知モジュール、前記接触検知モジュールは、静電容量性の検出層と共通電極とを備えた静電容量性の接触及び押圧モジュールであり、前記静電容量性の接触及び押圧モジュール上でのキー操作又はタップに起因した前記静電容量性の検出層と前記共通電極との間の距離変化から生じる静電容量変化と、前記接触検知モジュール上の接触物の接触動作から生じる電気特性変化と、を検出するために構成され、
前記接触検知モジュールの表面上に配置された迅速操作用インターフェース、前記インターフェースは、前記接触動作及び前記キー操作又は前記タップを受信するための領域を示すように構成され、及び、
前記接触検知モジュールと通信するコントローラ、前記コントローラは、前記キー操作又は前記タップから生じる検出された前記静電容量変化に反応して前記データ処理装置に第１入力信号を発行し、前記接触動作から生じる検出された前記電気特性変化に反応して前記データ処理装置に第２入力信号を発行する、
を備えることを特徴とする。
【手続補正３】
【補正対象書類名】明細書
【補正対象項目名】０００４
【補正方法】変更
【補正の内容】
【０００４】
実施形態において、前記接触検知モジュールは、前記静電容量性の検出層及び前記共通電極の間に配置され、少なくとも１つ以上のホールを有した中間絶縁層と、を備え、前記ホールの上の前記キー操作は、前記静電容量性の検出層及び前記共通電極の間の距離を短くして、前記静電容量性の検出層及び前記共通電極の間に静電容量変化を生じさせる、ことを特徴とする。
【手続補正４】
【補正対象書類名】明細書
【補正対象項目名】０００８
【補正方法】変更
【補正の内容】
【０００８】
実施形態において、前記コントローラは、前記ユーザによる切り替え操作に応じる第１操作状態及び第２操作状態の１つを入力し、前記コントローラは、前記第１操作状態において、前記キー操作又は前記タップから生じる検出された静電容量変化に応じて前記データ処理装置に前記第１入力信号を発行し、また、前記コントローラは、前記第２操作状態において、前記接触動作から生じる検出された前記電気特性変化に応じて前記データ処理装置に前記第２入力信号を発行する、ことを特徴とする。
【手続補正５】
【補正対象書類名】明細書
【補正対象項目名】００１０
【補正方法】変更
【補正の内容】
【００１０】
実施形態において、前記コントローラは、前記第２操作状態であり、前記データ処理装置のディスプレイは、前記キーの第１端上のダブルタップが検知されるとき、前記ディスプレイに示される画像を左または右にスクロールするための水平スクロールモードで動作され、前記データ処理装置の前記ディスプレイは、前記キーの第２端上のダブルタップが検知されるとき、前記ディスプレイに示される前記画像を上または下にスクロールするための垂直スクロールモードで動作され、前記データ処理装置の前記ディスプレイは、前記キー上のダブルフリックが検知されるとき、前記ディスプレイに示されるカーソルを正確に動かすための高解像度モードで動作される、ことを特徴とする。
【手続補正６】
【補正対象書類名】明細書
【補正対象項目名】００１２
【補正方法】変更
【補正の内容】
【００１２】
実施形態において、前記コントローラのデフォルト操作状態が第１操作状態で、前記キー操作又は前記タップから生じる前記静電容量の変化が検出され、
前記コントローラが切り替え操作に応じて前記第１操作状態から第２操作状態に切り替えられ、前記接触動作から生じる前記電気特性変化が検出され、
前記コントローラが前記第２操作状態から前記第１操作状態に切り替えられ、アイドル状態が所定期間続くなら、前記キー操作又は前記タップから生じる前記静電容量の変化が検出される、ことを特徴とする。
【手続補正７】
【補正対象書類名】明細書
【補正対象項目名】００１５
【補正方法】変更
【補正の内容】
【００１５】
さらに、本発明は、データ処理装置のための入力装置に用いられる入力方法であって、
前記入力装置は、静電容量性の検出層と共通電極とを備えた静電容量性の接触及び押圧モジュールであり、前記入力装置は、前記静電容量性の接触及び押圧モジュール上でのキー操作又はタップに起因した前記静電容量性の検出層と前記共通電極との間の距離変化から生じる静電容量変化と、前記接触検知モジュール上の接触物の接触動作から生じる電気特性変化と、を検出し、
前記入力方法は、第１操作状態において、前記キー操作又は前記タップから生じる前記検出された静電容量変化に応じて前記データ処理装置に第１入力信号を発行するステップと、切り替え操作に応じて、前記入力装置を前記第１操作状態から第２操作状態に切り替えるステップと、前記第２操作状態において、前記接触動作から生じる検出された前記電気特性変化に応じて前記データ処理装置に第２入力信号を発行するステップと、を含むことを特徴とする。
【手続補正８】
【補正対象書類名】明細書
【補正対象項目名】００２０
【補正方法】変更
【補正の内容】
【００２０】
さらに、本発明は、データ処理装置のための入力装置であって、
静電容量性の検出層と共通電極とを備えた静電容量性の接触及び押圧モジュール、前記モジュールは、前記静電容量性の接触及び押圧モジュール上でのキー操作又はタップに起因した前記静電容量性の検出層と前記共通電極との間の距離変化から生じる静電容量変化を検出するために構成され、
前記接触検知モジュールの表面上に配置された迅速操作用インターフェース、前記インターフェースは、前記キー操作又は前記タップを受信するための領域を示すように構成され、及び、
前記接触検知モジュールと通信するコントローラ、前記コントローラは、前記キー操作又は前記タップから生じる検出された前記静電容量変化に反応するコマンドを生成し、１の備え付けの入力方法エディタに応じて、前記コマンドに対応する少なくとも１つのシンボルコード及び複数の候補言語を供し、そして、ユーザにより前記候補言語から選択された言語を示す言語コードを前記データ処理装置に発行する、を備えたことを特徴とする。